(57)【要約】【課題】セルサーチ処理を軽減すること。【解決手段】基地局装置１００に、自装置に割り当てられている基地局スクランブリングコードと対応する系列セットに含まれる複数の系列を掛け合わせたパイロットシンボルが先頭および末尾の少なくともいずれか一方に配置されたフレームを形成するフレーム構成部１３０と、形成されたフレームを送信する無線送信部１５５と、を設けた。フレームの受信側においてそのフレームに含まれるパイロットシンボルの位置からフレームタイミングを検出することができ、さらに基地局スクランブリングコードと複数の系列を含む系列セットとが対応づけられていることからパイロットシンボルに掛け合わされている系列を検出することにより多くとも系列セットに含まれる系列の組み合わせの数の基地局スクランブリングコードに候補が絞られるためセルサーチ処理を軽減することができる。【選択図】図１
2010011517.tif 000002
【特許請求の範囲】
【請求項１】
第１の情報と第２の情報とを異なるサブキャリアから同時に受信する受信手段と、
前記第１の情報と前記第２の情報との双方を用いてセルを特定する特定手段と、
を具備する受信装置。
【請求項２】
前記受信手段は、前記第１の情報を第１のサブキャリアグループに含まれる複数のサブキャリアのうち一つ以上のサブキャリアから受信し、前記第２の情報を前記第１のサブキャリアグループとは異なる第２のサブキャリアグループに含まれる複数のサブキャリアのうち一つ以上のサブキャリアから受信する、
請求項１記載の受信装置。
【請求項３】
前記第１のサブキャリアグループに含まれる複数のサブキャリアは飛び飛びに位置し、前記第２のサブキャリアグループに含まれる複数のサブキャリアは飛び飛びに位置する、
請求項２記載の受信装置。
【請求項４】
第１の情報と第２の情報とを異なるサブキャリアから同時に受信し、
前記第１の情報と前記第２の情報との双方を用いてセルを特定する、
セル特定方法。
【請求項５】
前記第１の情報を第１のサブキャリアグループに含まれる複数のサブキャリアのうち一つ以上のサブキャリアから受信し、前記第２の情報を前記第１のサブキャリアグループとは異なる第２のサブキャリアグループに含まれる複数のサブキャリアのうち一つ以上のサブキャリアから受信する、
請求項４記載のセル特定方法。
【請求項６】
前記第１のサブキャリアグループに含まれる複数のサブキャリアは飛び飛びに位置し、前記第２のサブキャリアグループに含まれる複数のサブキャリアは飛び飛びに位置する、
請求項５記載のセル特定方法。
【請求項７】
情報を受信し、
前記情報からセルを特定する、
セル特定方法。
【発明の詳細な説明】
【技術分野】
【０００１】
本発明は、受信装置およびセル特定方法に関する。
【背景技術】
【０００２】
携帯電話などの移動局は、電源投入時やハンドオーバ時には、セル（基地局）を適宜選択して利用することにより通信することができる。移動局がセルを選択することは、セルサーチと呼ばれる。セルサーチにおいては、移動局が電源投入時に接続すべき最適なセルを選択する。具体的には、各セルは固有のスクランブリングコードによって識別されており、セルサーチは、下り回線において最も受信電力の大きな信号を送信するセルのスクランブリングコードを移動局が検出することにより行われる。
【０００３】
これに関連した従来技術としては、例えば、ＯＦＣＤＭ（Orthogonal Frequency and Code Division Multiplexing）方式での、３段階初期セルサーチ方式がある（例えば、特許文献１参照）。
【０００４】
特許文献１に記載された従来技術では、スクランブリングコードをいくつかのグループにグルーピングすることで、高速にスクランブリングコードを検出することができる。具体的には、第１段階においてガードインターバル相関によるシンボルタイミングを検出し、第２段階において、時間的に隣接するＯＦＤＭシンボル間の相関演算を行ってフレームタイミングおよびコードグループを同時検出し、第３段階において、第２段階で検出したコードグループに属するスクランブリングコード候補の中から相関演算によりスクランブリングコードを同定する。
【０００５】
図１８にＯＦＣＤＭの従来のフレーム構成を示す。図１８に示すようにフレーム境界においてパイロットシンボルが時間軸方向で連続しており、フレーム末尾のパイロットシンボルには、スクランブリングコードのグループを示すコードグループ系列が乗算されている。
【０００６】
図１９は移動局で行われるセルサーチの従来の第２段階処理を示している。移動局は、隣接するシンボル間での差動復調により抽出される系列とコードグループ全候補のコードグループ系列との相関演算を行うことによりフレームタイミングおよびスクランブリングコードグループの検出を行う。この隣接パイロットシンボル間の最大相関値が得られるコードグループ系列及びタイミングを検出することによりコードグループとフレームタイミングが同時に検出される。
【先行技術文献】
【特許文献】
【０００７】
【特許文献１】特開２００３−２４４７６３号公報
【発明の概要】
【発明が解決しようとする課題】
【０００８】
しかしながら、従来技術では、第２段階にてすべてのコードグループ候補を用いてスクランブリングコードグループを同定し、第３段階にて同定されたスクランブリングコードグループに属するすべてのスクランブリングコード候補を用いて相関演算を行ってスクランブリングコードを同定するため、スクランブリングコード同定までの演算量が増大する問題がある。
【０００９】
本発明は、かかる点に鑑みてなされたものであり、セルサーチ処理を軽減することができる受信装置およびセル特定方法を提供することを目的とする。
【課題を解決するための手段】
【００１０】
本発明の第１の態様に係る基地局装置は、自装置に割り当てられている基地局スクランブリングコードが所属するコードグループに対応する系列セットに含まれる複数の系列を掛け合わせたパイロットシンボルを先頭および末尾の少なくともいずれか一方に配置してフレームを形成するフレーム形成手段と、形成された前記フレームを送信する送信手段と、を具備する構成を採る。
【００１１】
本発明の第２の態様に係る移動局装置は、基地局スクランブリングコードが所属するコードグループに対応する系列セットに含まれる複数の系列を掛け合わせたパイロットシンボルが先頭および末尾の少なくともいずれか一方に配置されたフレームを受信する受信手段と、前記基地局スクランブリングコードと前記系列セットとが対応づけられた対応テーブルと、前記系列の全候補を前記フレームに掛け合わせて相関をとる相関手段と、前記相関手段にて得られる相関値に基づいて、フレームタイミングおよび前記パイロットシンボルに掛け合わされた複数の系列を検出する系列セット検出手段と、前記検出された系列を含む前記系列セットに対応するスクランブリングコードの候補を前記対応テーブルに基づいて特定し、前記スクランブリングコード候補の中から前記基地局スクランブリングコードを検出する基地局スクランブリングコード検出手段と、を具備する構成を採る。
【発明の効果】
【００１２】
本発明によれば、セルサーチ処理を軽減することができる。
【図面の簡単な説明】
【００１３】
【図１】本発明の実施の形態１に係る基地局装置の構成を示すブロック図
【図２】実施の形態１の対応テーブルの一構成例を示す図
【図３】実施の形態１のフレーム構成の説明に供する図
【図４】実施の形態１に係る移動局装置の構成を示すブロック図
【図５】図４の隣接シンボル相関部およびコードグループ系列相関部の動作の説明に供する図
【図６】図４の移動局装置の動作の説明に供するフロー図
【図７】実施の形態２に係る移動局装置の構成を示すブロック図
【図８】図７の移動局装置の動作の説明に供するフロー図
【図９】実施の形態３に係る基地局装置の構成を示すブロック図
【図１０】実施の形態３のフレーム構成の説明に供する図
【図１１】実施の形態３に係る移動局装置の構成を示すブロック図
【図１２】図１１の移動局装置の動作の説明に供するフロー図
【図１３】実施の形態４に係る移動局装置の構成を示すブロック図
【図１４】実施の形態５に係る移動局装置の構成を示すブロック図
【図１５】実施の形態５の対応テーブルの一構成例を示す図
【図１６】図１４の移動局装置の動作の説明に供するフロー図
【図１７】実施の形態６に係る移動局装置の構成を示すブロック図
【図１８】従来の基地局装置の送信フレームフォーマット
【図１９】従来の移動局装置のセルサーチの動作を示す図
【発明を実施するための形態】
【００１４】
以下、本発明の実施の形態について図面を参照して詳細に説明する。なお、実施の形態において、同一の構成要素には同一の符号を付し、その説明は重複するので省略する。
【００１５】
（実施の形態１）
図１に示すように実施の形態１の基地局装置１００は、符号化部１０５と、変調部１１０と、パイロット信号生成部１１５と、コードグループ系列生成部１２０と、コードグループ系列乗算部１２５と、フレーム構成部１３０と、スクランブリングコード生成部１３５と、スクランブル部１４０と、ＩＦＦＴ部１４５と、ＧＩ挿入部１５０と、無線送信部１５５と、無線受信部１６０と、ＧＩ除去部１６５と、ＦＦＴ部１７０と、復調部１７５と、復号部１８０とを有する。
【００１６】
符号化部１０５は、送信信号(ＤＣＨなど)を入力し、所定の符号化を行い符号化後の信号を変調部１１０に出力する。
【００１７】
変調部１１０は、符号化部１０５からの符号化後の信号を入力し、サブキャリア単位で所定の一次変調(一般的には、送信信号に係るＱｏＳや無線チャネル状態に応じた一次変調)を行い、変調後の信号をフレーム構成部１３０に出力する。
【００１８】
パイロット信号生成部１１５は、すべてのセルにおいて共通のパイロット信号（ＣＰＩＣＨ）を生成し、生成したパイロット信号をコードグループ系列乗算部１２５に出力する。
【００１９】
コードグループ系列生成部１２０は、スクランブリングコード生成部１３５からスクランブリングコード番号が入力される。そして、コードグループ系列生成部１２０では、スクランブリングコード番号とコードグループ系列セットとの対応テーブル（図２参照）を参照し、フレーム末尾のパイロット（ＣＰＩＣＨ）に乗算すべき、コードグループ系列セットを選択する。そして、コードグループ系列生成部１２０は、選択したスクランブリングコードグループ系列セットをコードグループ系列乗算部１２５に出力する。ここで、図２に示す対応テーブルは、各基地局装置１００に固有のスクランブリングコードと、このスクランブリングコードに割り当てられたコードグループ系列セットとが対応づけられている。このコードグループ系列セットは、複数のコードグループ系列（一種類である場合も含まれる）から構成されている。また、本実施の形態にて使用するコードグループ系列は、互いに直交する直交系列である。なお、ここでは、従来のシステムにおけるコードグループ系列を用いたがこれに限定されるものではなく、互いに直交する直交系列であればよい。ただし、従来のシステムにおいて既に用意されている直交系列を用いることにより、本発明のシステムのために直交系列を用意する必要がないので、システム構築に際しての負担の軽減を図ることができる。
【００２０】
コードグループ系列乗算部１２５は、コードグループ系列生成部１２０からのコードグループ系列セットを入力する。そして、コードグループ系列乗算部１２５は、パイロット信号生成部１１５からのパイロット信号に対してコードグループ系列セットを構成するコードグループ系列のすべてを乗算する。そして、コードグループ系列乗算部１２５は、パイロット信号そのものと、パイロット信号にコードグループ系列を乗算した系列との２つの系列をフレーム構成部１３０に出力する。
【００２１】
フレーム構成部１３０は、変調部１１０より変調後の信号が入力され、コードグループ系列乗算部１２５よりパイロット信号およびコードグループ系列が乗算されたパイロット信号が入力される。そして、フレーム構成部１３０は、先頭にパイロット信号、末尾にはコードグループ系列が乗算されたパイロット信号が配置され、残りには変調後の信号（データ）が配置される構成を持つフレームを形成する（図３参照）。そして、フレーム構成部１３０は、サブキャリア数ＮのシンボルであるＯＦＤＭシンボルを単位として、ＯＦＤＭシンボルを出力する。
【００２２】
スクランブリングコード生成部１３５は、基地局装置１００に固有のスクランブリングコード番号に応じて、スクランブリングコードを生成する。そして、スクランブリングコード生成部１３５は、スクランブリングコード番号をコードグループ系列生成部１２０に出力するとともに、生成したスクランブリングコードをスクランブル部１４０に出力する。
【００２３】
スクランブル部１４０は、スクランブリングコード生成部１３５よりスクランブリングコードが入力され、フレーム構成部１３０からＯＦＤＭシンボル単位で送信データが入力され、ＯＦＤＭシンボルごとにスクランブリングコードを乗算してスクランブルを行う。スクランブル後の送信データはＩＦＦＴ部１４５に出力される。
【００２４】
ＩＦＦＴ部１４５は、スクランブル部１４０からスクランブルされた送信データが入力され、周波数領域の信号を時間領域の信号に変換してマルチキャリア波信号を生成し、マルチキャリア波信号をＧＩ(Guard Interval)挿入部１５０に出力する。
【００２５】
ＧＩ挿入部１５０は、ＯＦＤＭシンボルごとにガードインタバルを挿入し、ガードインタバル挿入後の信号を無線送信部１５５に出力する。
【００２６】
無線送信部１５５は、ＧＩ挿入部１５０からガードインタバル挿入後の信号を入力し、アップコンバートなどのＲＦ処理を行い、アンテナを介して送信する。
【００２７】
無線受信部１６０は、アンテナを介して移動局装置からの信号を受信し、ダウンコンバートなどのＲＦ処理を行い、ＲＦ処理後の信号をＧＩ除去部１６５に出力する。
【００２８】
ＧＩ除去部１６５は、無線受信部１６０からＲＦ処理後の信号を入力し、ガードインタバルを除去してＦＦＴ部１７０に出力する。
【００２９】
ＦＦＴ部１７０は、ＧＩ除去部１６５からガードインタバル除去後のＯＦＤＭ受信信号が入力され、時間領域の信号を周波数領域の信号に変換してマルチキャリア波から各サブキャリア信号を取り出す。そして、ＦＦＴ後の信号は、復調部１７５に出力される。
【００３０】
復調部１７５は、ＦＦＴ部１７０からＦＦＴ後の信号が入力され、サブキャリア毎に復調を行う。サブキャリア復調された信号は、復号部１８０に出力される。
【００３１】
復号部１８０は、復調部１７５から復調後の信号が入力され、適切な誤り訂正復号を行って受信信号を取り出す。
【００３２】
図４に示すように実施の形態１の移動局装置２００は、受信制御部２０５と、無線受信部２１０と、シンボルタイミング検出部２１５と、ＧＩ除去部２２０と、ＦＦＴ処理部２２５と、隣接シンボル相関部２３０と、コードグループ系列レプリカ生成部２３５と、コードグループ系列相関部２４０と、フレームタイミング／コードグループ検出部２４５と、スクランブリングコード同定部２５０と、スクランブリングコードレプリカ生成部２５５と、デスクランブリング部２６０と、復号部２６５と、ＣＲＣチェック部２７０と、符号化部２７５と、変調部２８０と、ＧＩ挿入部２８５と、無線送信部２９０とを有する。
【００３３】
受信制御部２０５は、移動局装置２００の状態、すなわち初期セルサーチモードの第何段階であるか若しくは通常受信モードであるかなど、又はコード同定の成否に応じて無線受信部２１０からの出力信号の出力先に関して制御する。具体的には、無線受信部２１０に対して出力先命令信号を出力して無線受信部２１０からの出力信号の出力先を制御する。この出力先命令信号の内容としては、移動局装置２００の状態が初期セルサーチモードの第１段階である場合にはシンボルタイミング検出部２１５が出力先である旨の内容となり、第１段階以外である場合にはＧＩ除去部２２０が出力先である旨の内容となる。
【００３４】
無線受信部２１０は、アンテナを介して基地局装置１００からの信号を受信し、ダウンコンバートなどのＲＦ処理を行う。そして、無線受信部２１０は、上記受信制御部２０５からの出力先命令信号が示す出力先に対してＲＦ処理後の信号を出力する。
【００３５】
シンボルタイミング検出部２１５は、移動局装置が初期セルサーチモードであるときに無線受信部２１０からＲＦ処理後の信号が入力される。シンボルタイミング検出部２１５は、ガードインタバル相関をとり、ＯＦＤＭシンボルにおけるガードインターバルの相関特性を利用して、ＯＦＤＭシンボルタイミングを検出する。このＯＦＤＭシンボルタイミングは、すなわちＦＦＴを施すためのＦＦＴウィンドウタイミングである。なお、ガードインタバル相関はシンボル単位で実施するが、相関値を１フレームにわたって平均化することによりシンボルタイミング検出の精度を高めることができる。そして、シンボルタイミング検出部２１５は、検出したシンボルタイミングの結果をＧＩ除去部２２０に出力するとともに、シンボルタイミングを検出したこと、すなわちセルサーチの第１段階が終了したことを通知するための第１段階終了通知信号を受信制御部２０５に出力する。
【００３６】
ＧＩ除去部２２０は、シンボルタイミング検出部２１５からのＯＦＤＭシンボルタイミングに従って、ＲＦ処理後の受信信号からガードインタバルを除去し、ＦＦＴ処理部２２５に出力する。
【００３７】
ＦＦＴ処理部２２５は、ＧＩ除去部２２０からのガードインタバル除去後の受信信号を、ＯＦＤＭシンボル単位で入力し、この入力信号に対してＦＦＴ処理を施す。そして、ＦＦＴ処理部２２５は、受信制御部２０５からの出力先命令信号に応じた出力先にＦＦＴ処理後の信号を出力する。具体的には、ＦＦＴ処理部２２５は、現在の移動局装置２００の状態がセルサーチの第２段階である場合には、隣接シンボル相関部２３０が出力先である旨の出力先命令信号が入力され、ＦＦＴ処理後の信号を隣接シンボル相関部２３０に出力する。また、ＦＦＴ処理部２２５は、現在の移動局装置２００の状態がセルサーチの第３段階である場合には、スクランブリングコード同定部２５０が出力先である旨の出力先命令信号が入力され、ＦＦＴ処理後のパイロット信号が含まれるＯＦＤＭシンボルであってフレームの先頭に配置されているＯＦＤＭシンボルをスクランブリングコード同定部２５０に出力する。このフレームの先頭に配置されているパイロット信号が含まれるＯＦＤＭシンボルにはスクランブリングコードのみが掛けられており、コードグループ系列は掛けられていない。また、ＦＦＴ処理部２２５は、受信制御部２０５より上記隣接シンボル相関部２３０が出力先である出力先命令信号およびスクランブリングコード同定部２５０が出力先である旨の出力先命令信号以外の出力先命令信号を入力するときには、ＦＦＴ処理後の信号をデスクランブリング部２６０に出力する。
【００３８】
隣接シンボル相関部２３０は、ＦＦＴ処理部２２５からＦＦＴ処理後の信号を入力し、時間的に連続する２つのＯＦＤＭシンボル間で相関をとった相関系列を算出する（図５参照）。この相関系列の算出は、後に相関系列とコードグループ系列レプリカの相関値の平均化を行うためにｎフレームにわたり行われる。そして、算出した相関系列は、コードグループ系列相関部２４０に出力される。
【００３９】
コードグループ系列レプリカ生成部２３５は、システムにおいて予め定められているすべてのコードグループ系列を生成し、コードグループ系列相関部２４０に出力する。
【００４０】
コードグループ系列相関部２４０は、図５に示すように、隣接シンボル相関部２３０にて算出された相関系列およびコードグループ系列レプリカ生成部２３５からのコードグループ系列を入力し、相関系列とすべてのコードグループ系列との相関演算を行う。この相関演算はｎフレームについて行われ、フレームにおける時間的位置が同じＯＦＤＭシンボルから算出された相関系列とコードグループ系列とから求められるｎ個の相関値について平均をとる。そして、コードグループ系列相関部２４０は、平均化された相関値をすべてフレームタイミング／コードグループ検出部２４５に出力する。
【００４１】
フレームタイミング／コードグループ検出部２４５は、コードグループ系列相関部２４０から平均化された相関値を入力し、この中で最大の値をとる最大相関値を検出する。そして、フレームタイミング／コードグループ検出部２４５は、最大相関値が得られるフレームにおけるタイミングおよびその最大相関値を求める際に掛け合わせたコードグループ系列を記憶する。
【００４２】
そして、フレームタイミング／コードグループ検出部２４５は、最大相関値の値から所定の方法により、コードグループ系列セットの他のコードグループ系列を検出するのに利用するしきい値を算出する。具体的には、例えば最大相関値の値から所定の値Ｘ［ｄＢ］を引いた値を上記しきい値とする。そして、フレームタイミング／コードグループ検出部２４５は、算出したしきい値を用いて、残りの相関値の中でこのしきい値を越えている相関値の中から最大の相関値を検出する。そして、上記記憶した最大相関値を除き、最大の値を持ち且つしきい値を越える値を持つ相関値に対応するフレームにおけるタイミングおよびこの相関値を求める際に掛け合わせたコードグループ系列を記憶する。なお、しきい値を越える相関値が最大相関値以外にない場合には、フレームを送信してきた基地局装置１００において掛け合わされコードグループ系列セットは、１種類のコードグループ系列からなるものである。このときには、フレームタイミング／コードグループ検出部２４５は、既に記憶しておいた最大相関値が得られるフレームにおけるタイミングを受信制御部２０５に出力するとともに、最大相関値に対応するコードグループ系列をスクランブリングコード同定部２５０に出力する。
【００４３】
また、フレームタイミング／コードグループ検出部２４５は、しきい値を越える相関値が最大相関値以外にもある場合には、上記記憶した最大相関値を除き最大の値を持ち且つしきい値を越える値を持つ相関値に対応するフレームにおけるタイミングと、最大相関値が得られるフレームにおけるタイミングとが一致するか否かを判定する。つまり、値が大きい２つの相関値に対応するタイミングが一致するか否かを判定する。なお、本実施の形態では、コードグループ系列セットが２つのコードグループ系列から構成されていることを前提とするので、値の大きい２つの相関値について上述のようにフレームにおけるタイミングとその相関値に対応するコードグループ系列とを検出した。しかしながら、コードグループ系列セットを構成するコードグループ系列の数は２つに限定されるものではなく２より多くてもよい。その際には、そのコードグループ系列の数に応じて検出する相関値の数を増加させればよい。
【００４４】
判定の結果、上記２つの相関値に対応するタイミングが一致していない場合には、フレームタイミング／コードグループ検出部２４５は、セルサーチの第２段階が失敗したと判定し、第２段階に失敗したことを示す第２段階失敗信号を受信制御部２０５に出力する。上記２つの相関値に対応するタイミングが一致していない場合にセルサーチの第２段階が失敗したと判定するのは、基地局装置１００においてフレームの末尾のＯＦＤＭシンボルに配置されたパイロット信号にコードグループ系列セットが掛け合わされていることから、セルサーチの第２段階が成功しているためには上記２つの相関値に対応するタイミングが一致している必要があるからである。
【００４５】
一方、判定の結果、上記２つの相関値に対応するタイミングが一致する場合には、フレームタイミング／コードグループ検出部２４５は、第２段階のフレームタイミングの検出が成功したと判定し、検出したフレームタイミングを受信制御部２０５に出力するとともに、検出した上記２つの相関値に対応するコードグループ系列を識別するコードグループ系列識別情報（例えば、コードグループ系列番号）をスクランブリングコード同定部２５０に出力する。ここで、本実施の形態においては、第３段階に進む段階でスクランブリングコードの候補は既に２つに絞られおり、第３段階に進む段階では第２段階で特定されたグループコードに対応する１６のスクランブルコードに絞られているだけであった従来のセルサーチ方法に比べて、処理量が軽減されている。
【００４６】
スクランブリングコード同定部２５０は、フレームタイミング／コードグループ検出部２４５からのコードグループ系列識別情報に対応するスクランブリングコードを特定する。
【００４７】
具体的には、スクランブリングコード同定部２５０は、フレームタイミング／コードグループ検出部２４５からのコードグループ系列識別情報が１種類のみである場合には、このコードグループ系列識別情報に対応するスクランブリングコードは一意に特定できるので、特定したスクランブリングコードの識別情報をスクランブリングコードレプリカ生成部２５５に出力し、これに応じて生成されたスクランブリングコードレプリカをデスクランブリング部２６０に出力する。
【００４８】
また、スクランブリングコード同定部２５０は、フレームタイミング／コードグループ検出部２４５からのコードグループ系列識別情報が２種類である場合には、これらのコードグループ系列の組み合わせから特定されるスクランブリングコードの候補が２つ存在することになる。そこで、この２つのスクランブリングコード候補の識別情報をスクランブリングコードレプリカ生成部２５５に出力し、これに応じて生成されたスクランブリングコードレプリカを受け取る。そして、スクランブリングコード同定部２５０は、ＦＦＴ処理部２２５から受け取るフレームの先頭に位置するパイロット信号を含むＯＦＤＭシンボルに対して、スクランブリングレプリカ生成部２５５から受け取るスクランブリングコードレプリカを各々掛け合わせ相関演算を行う。そして、求められた相関値の中で最も大きい値が得られるスクランブリングコードレプリカがスクランブリングコードであると同定し、同定したスクランブリングコードをデスクランブリング部２６０に出力する。
【００４９】
なお、上記スクランブリングコード同定部２５０におけるスクランブリングコードの同定には、種々の方法がある。例えば、ＦＦＴ処理部２２５からフレームの先頭に位置するパイロット信号を含むＯＦＤＭシンボルをｎフレームにわたって受け取り、このｎ個のパイロット信号に対して、スクランブリングレプリカ生成部２５５から受け取るスクランブリングコードレプリカを各々掛け合わせ相関演算を行い、それぞれについて平均化を行う。そして、求められた相関値の平均値の中で最も大きい値が得られるスクランブリングコードレプリカがスクランブリングコードであると同定してもよい。
【００５０】
スクランブリングコードレプリカ生成部２５５は、スクランブリングコード同定部２５０からのスクランブリングコードの識別情報に対応するスクランブリングコードを生成し、スクランブリングコードレプリカとしてスクランブリングコード同定部２５０に出力する。
【００５１】
デスクランブリング部２６０は、ＦＦＴ処理部２２５からのＦＦＴ処理後の信号を入力し、スクランブリングコード同定部２５０から受け取るスクランブリングコードを掛け合わせてデスクランブルを行い、デスクランブル後の信号を復号部２６５に出力する。
【００５２】
復号部２６５は、デスクランブル後の信号を入力し、適切な誤り訂正復号を行って誤り訂正復号結果をＣＲＣチェック部２７０に出力する。
【００５３】
ＣＲＣチェック部２７０は、復号部２６５からの誤り訂正復号結果に対してＣＲＣエラーチェックを行い、エラーがない場合には、初期セルサーチを完了したと判定する。一方、エラーが存在する場合には、ＣＲＣチェック部２７０は、再度初期セルサーチを第１段階からやり直すべく、受信制御部２０５に対してＣＲＣエラーチェック結果を出力する。なお、このエラーが存在したときに出力されるＣＲＣエラーチェック結果を受け取ると、受信制御部２０５は、シンボルタイミング検出部２１５が出力先である旨の出力先命令信号を無線受信部２１０に出力することとなる。
【００５４】
符号化部２７５は、ＤＣＨなどの送信信号を入力し、所定の符号化を施し、符号化後の信号を変調部２８０に出力する。
【００５５】
変調部２８０は、符号化後の信号が入力され、送信信号に係るＱｏＳや無線チャネル状態に応じた変調を行い、変調後の信号を無線送信部２９０に出力する。
【００５６】
無線送信部２９０は、変調後の信号を入力し、アップコンバートなどのＲＦ処理を行い、アンテナを介して送信する。
【００５７】
次いで上記構成を有する移動局装置２００の動作について図６を参照して説明する。
【００５８】
ステップＳＴ１００１において、移動局装置２００のシンボルタイミング検出部２１５が、ガードインタバル相関をとり、ＯＦＤＭシンボルにおけるガードインターバルの相関特性を利用して、ＯＦＤＭシンボルタイミングを検出する。これが初期セルサーチの第１段階である。
【００５９】
初期セルサーチ第２段階のステップＳＴ１００２において、隣接シンボル相関部２３０は、ＦＦＴ処理部２２５からＦＦＴ処理後の信号を入力し、時間的に連続する２つのＯＦＤＭシンボル間で相関をとった相関系列を算出する。相関系列の算出は、フレーム内の全シンボルタイミングで行う。
【００６０】
ステップＳＴ１００３において、コードグループ系列相関部２４０は、隣接シンボル相関部２３０にて算出された相関系列およびコードグループ系列レプリカ生成部２３５からのコードグループ系列を入力し、相関系列とすべてのコードグループ系列との相関演算を行う。なお、この相関演算は、ｎフレームの全シンボルタイミングについて行われる。
【００６１】
ステップＳＴ１００４において、コードグループ系列相関部２４０は、フレームにおける時間的位置が同じＯＦＤＭシンボルから算出された相関系列とコードグループ系列とから求められるｎ個の相関値について平均をとる。つまり、フレーム単位で平均化を行うことになるので１フレーム内のＯＦＤＭシンボル数分の平均化相関値を算出することになる。
【００６２】
ステップＳＴ１００５において、フレームタイミング／コードグループ検出部２４５は、コードグループ系列相関部２４０から平均化された相関値を入力し、この中から最大相関値を検出する。そして、フレームタイミング／コードグループ検出部２４５は、最大相関値が得られるシンボルタイミングおよびその最大相関値を求める際に掛け合わせたコードグループ系列を記憶する。
【００６３】
ここで最大相関値が得られるシンボルタイミングおよびその最大相関値を求める際に掛け合わせたコードグループ系列を記憶するのは、このシンボルタイミング位置がフレームタイミングの候補であり、このコードグループ系列がスクランブリングコードを特定するための手がかりになるためである。パイロット信号と送信データとの間には相関がないので、パイロット信号が含められているＯＦＤＭシンボルと送信データが含められているＯＦＤＭシンボルとの相関値は小さい値をとることになる。一方、末尾と先頭のパイロット信号を含むＯＦＤＭシンボルの相関をとり、さらに末尾のパイロット信号に掛け合わされているコードグループ系列と同一のコードグループ系列とで相関を取ると大きなピークがあらわれることになる。そのため、隣接ＯＦＤＭシンボルの相関とコードグループ系列との相関値が最大となるＯＦＤＭシンボルタイミングは、フレームタイミングである可能性が高い。また、最大相関値を与えるコードグループ系列は、アクセスすべき基地局装置１００においてフレームの末尾に配置されたパイロット信号に掛け合わされているコードグループ系列である可能性が高い。
【００６４】
ステップＳＴ１００６において、フレームタイミング／コードグループ検出部２４５は、最大相関値の値から所定の方法により、コードグループ系列セットの他のコードグループ系列を検出するのに利用するしきい値を算出して設定する。具体的には、例えば最大相関値の値から所定の値Ｘ［ｄＢ］を引いた値を上記しきい値とする。
【００６５】
ステップＳＴ１００７において、フレームタイミング／コードグループ検出部２４５は、ステップＳＴ１００６にて求めたしきい値と上記最大相関値以外の上記平均化された相関値とを比較する。
【００６６】
比較の結果、しきい値を越える相関値が最大相関値以外にもある場合（ステップＳＴ１００７：ＹＥＳ）には、その相関値を検出する（ステップＳＴ１００８）。
【００６７】
ステップＳＴ１００９において、フレームタイミング／コードグループ検出部２４５は、ステップＳＴ１００８にて検出した相関値のシンボルタイミングと、その相関値を算出する際に用いたコードグループ系列とを記憶する。
【００６８】
ステップＳＴ１０１０において、フレームタイミング／コードグループ検出部２４５は、ステップＳＴ１００５およびステップＳＴ１００９にて記憶した、上位２つの相関値（値の大きい方から２つの相関値）に対応するシンボルタイミング(言い換えると、仮想フレーム内におけるシンボル位置)を比較する。
【００６９】
比較の結果、両タイミングが同一でない、すなわち一致していない場合（ステップＳＴ１０１０：ＮＯ）には、フレームタイミング／コードグループ検出部２４５が、初期セルサーチ第２段階のフレームタイミング同定に失敗したと判定し、第２段階に失敗したことを示す第２段階失敗信号を受信制御部２０５に出力することにより、ステップＳＴ１００１に戻る。
【００７０】
一方、比較の結果、両タイミングが一致する場合（ステップＳＴ１０１０：ＹＥＳ）には、フレームタイミング／コードグループ検出部２４５は、第２段階のフレームタイミングの検出が成功したと判定し、このときフレームタイミングおよびコードグループ系列が同定できたこととなる（ステップＳＴ１０１１）。そして、フレームタイミング／コードグループ検出部２４５は、同定したコードグループ系列を識別するコードグループ系列識別情報をスクランブリングコード同定部２５０に出力する。
【００７１】
このように、２つの相関値のシンボル位置の異同に基づいてフレームタイミング検出の成否を判断することができ、フレームタイミングが失敗していると判断した場合にはその時点で以降の演算処理を中止して初期セルサーチ処理を第１段階からリトライすることができる。その結果、失敗している場合には早期にセルサーチをやり直すことができるため、セルサーチの高速化を実現することができる。
【００７２】
また、比較の結果、しきい値を越える相関値が最大相関値以外にない場合（ステップＳＴ１００７：ＮＯ）には、ステップＳＴ１０１１に移り、フレームタイミング／コードグループ検出部２４５は、ステップＳＴ１００５にて記憶したものをフレームタイミングおよびコードグループ系列として同定する。そして、フレームタイミング／コードグループ検出部２４５は、同定したコードグループ系列を識別するコードグループ系列識別情報をスクランブリングコード同定部２５０に出力する。
【００７３】
次に初期セルサーチの第３段階に移り、ステップＳＴ１０１２において、フレームタイミング／コードグループ検出部２４５からのコードグループ系列識別情報に対応するスクランブリングコードの候補を認識する。これらの候補スクランブリングコードのレプリカを順次生成し、ＣＰＩＣＨが多重されているＯＦＤＭシンボルの受信信号にパイロット信号およびスクランブリングコードのレプリカの相関を取って最大相関値を検出し、最大相関値が得られるスクランブリングコードを同定する。
【００７４】
最後に、同定したスクランブリングコードが正しいものであるかについて検証を行い、誤っている場合には、ステップＳＴ１００１に戻る。この誤りの検証には、例えば上述のＣＲＣエラーチェックなどを用いることができる。
【００７５】
なお、上記説明においては送受信されるフレームを、先頭にパイロット信号、末尾にはコードグループ系列が乗算されたパイロット信号が配置され、残りには変調後の信号（データ）が配置される構成としたが、これに限定されるものではなく逆に先頭にコードグループ系列が乗算されたパイロット信号、末尾にパイロット信号が配置される構成にしてもよい。また、パイロット信号が１フレーム内に１シンボルしかなくてもよく、その場合には、その１シンボル内の半分のサブキャリアにはパイロットシンボルを多重し、残り半分のサブキャリアにはパイロットとコード系列とを乗算したシンボルを多重してもよい。要はフレームの境界を挟んで両パイロット信号が配置されたり、フレーム境界の前又は後にパイロットシンボルが配置されることによりフレームタイミングを検出できればよい。
【００７６】
このように実施の形態１によれば、基地局装置１００に、自装置に割り当てられている基地局スクランブリングコードが所属するコードグループに対応する（コードグループ）系列セットに含まれる１つあるいは複数の（コードグループ）系列を掛け合わせたパイロットシンボルを先頭および末尾の少なくともいずれか一方に配置してフレームを形成するフレーム構成部１３０と、形成された前記フレームを送信する無線送信部１５５と、を設けた。
【００７７】
こうすることにより、上記フレームを受信する移動局においてそのフレームに含まれるパイロットシンボルの位置からフレームタイミングを検出することができ、さらに基地局スクランブリングコードと複数の（コードグループ）系列を含む（コードグループ）系列セットとが対応づけられていることからパイロットシンボルに掛け合わされている系列セットを検出することにより多くとも系列セットに含まれる系列の組み合わせの数の系列セットに候補が絞られるため、第３段階のスクランブリングコード同定処理を軽減し、セルサーチ処理を軽減することができ、この系列セット候補に対応する基地局スクランブリングコードを高速に同定することができる。
【００７８】
また実施の形態１によれば、移動局装置２００に、基地局スクランブリングコードが所属するコードグループに対応する(コードグループ)系列セットに含まれる１つあるいは複数の(コードグループ)系列を掛け合わせたパイロットシンボルが先頭および末尾の少なくともいずれか一方に配置されたフレームを受信する無線受信部２１０と、前記基地局スクランブリングコードと前記系列セットとが対応づけられた対応テーブルと、（コードグループ）系列の全候補を前記フレームに掛け合わせて相関をとる相関手段としてのコードグループ系列相関部２４０（隣接シンボル相関部２３０）と、前記相関手段にて得られる相関値に基づいて、フレームタイミングおよび前記パイロットシンボルに掛け合わされた１つあるいは複数の(コードグループ)系列を検出するフレームタイミング／コードグループ検出部２４５と、前記検出された（コードグループ）系列を含む前記系列セットに対応するスクランブリングコードの候補を前記対応テーブルに基づいて特定し、前記スクランブリングコード候補の中から前記基地局スクランブリングコードを検出するスクランブリングコード同定部２５０と、を設けた。
【００７９】
こうすることにより、受信フレームに含まれるパイロットシンボルの位置からフレームタイミングを検出することができ、さらに基地局スクランブリングコードと１つあるいは複数の(コードグループ)系列を含む系列セットとが対応づけられていることからパイロットシンボルに掛け合わされているコードグループ系列を検出することにより多くとも拡散符号セットに含まれる拡散符号の組み合わせの数の拡散符号セットに候補が絞られるためセルサーチ処理を軽減することができ、この拡散符号セット候補に対応する基地局スクランブリングコードを高速に特定することができる。
【００８０】
上記相関手段としての隣接シンボル相関部２３０およびコードグループ系列相関部２４０は、受信フレームにおいて時間的に隣接するシンボル間の相関系列に対して前記（コードグループ）系列の全候補を順次掛け合わせて相関をとり、上記フレームタイミング／コードグループ検出部２４５は、前記相関手段にて得られる相関値よりその値の大きい方から前記（コードグループ）系列セットに含まれる（コードグループ）系列の数と同数だけ特定し、当該特定した相関値が得られた前記（仮想）フレームにおけるシンボルタイミングおよび当該特定した相関値を求める際に掛け合わせた（コードグループ）系列を前記フレームタイミングおよび前記パイロットシンボルに掛け合わされた（コードグループ）系列として検出する。
【００８１】
このように、受信フレームにおいて時間的に隣接するシンボル間の相関系列に対して前記（コードグループ）系列の全候補を順次掛け合わせて相関をとり、この相関値を用いてフレームタイミングおよび系列を検出することにより、伝搬路などにおいて受信フレームに対して付加された位相雑音の影響を低減することができるので、より正確にフレームタイミングおよび系列を検出することができる。
【００８２】
（実施の形態２）
実施の形態１においては、隣接ＯＦＤＭシンボルの相関系列に対して各コードグループ系列ごとに相関演算を施して得られた相関値を、各コードグループ系列ごとにｎフレームにわたって平均化した後、上位１つあるいは２つの相関値を閾値判定により検出し、検出した相関値を求める際に掛け合わせたコードグループ系列を検出することで、基地局使用のコードグループ系列の同定を行った。これに対して、実施の形態２においては、隣接ＯＦＤＭシンボルの相関系列に対して各コードグループ系列ごとに相関演算を施して得られた相関値を、各コードグループ系列セットごとに加算し、この加算された相関値をｎ／２フレームにわたって平均化した後にその平均化された相関値のうち最大の相関値を得るために掛け合わされたコードグループ系列セットを同定する。こうすることにより、実施の形態１で行っていたｎフレームにわたる平均化処理を行う対象が半分になるため、より高速な初期セルサーチが可能となる。また、加算処理を行うことにより、ＯＦＤＭ受信シンボルのＳＮ比を大きくすることができるため、平均化処理を行うフレーム数を半分程度に減らしても、実施の形態１と同程度の信頼性の高い値を求めることができ、より高速でかつ高信頼性の初期セルサーチを実現することができる。
【００８３】
図７に示すように実施の形態２の移動局装置３００は、コードグループ系列相関部３１０と、フレームタイミング／コードグループ検出部３２０とを有する。
【００８４】
コードグループ系列相関部３１０は、隣接シンボル相関部２３０にて算出された相関系列およびコードグループ系列レプリカ生成部２３５からのコードグループ系列を入力し、相関系列とすべてのコードグループ系列との相関演算を行う。そして、コードグループ系列相関部３１０は、上記相関演算により得られた相関値をコードグループ系列セットに対応する組み合わせにより加算する。そして、加算により得られた加算相関値をｎ／２フレームにわたりコードグループ系列セットごとに平均化する。そして、コードグループ系列相関部３１０は、平均化された加算相関値をすべてフレームタイミング／コードグループ検出部３２０に出力する。
【００８５】
フレームタイミング／コードグループ検出部３２０は、コードグループ系列相関部３１０から平均化された加算相関値を入力し、この中で最大の値をとる最大加算相関値を検出する。そして、フレームタイミング／コードグループ検出部３２０は、最大加算相関値が得られるシンボルのタイミング（位置）およびその最大加算相関値を求める際に掛け合わせたコードグループ系列セットを同定する。
【００８６】
そして、フレームタイミング／コードグループ検出部３２０は、同定したコードグループ系列セットを識別する情報をスクランブリングコード同定部２５０に出力する。なお、コードグループ系列セットを識別するための情報としては、例えば、そのコードグループ系列セットを構成するコードグループ系列識別情報でもよいし、またコードグループ系列セットに対応するスクランブリングコード番号であってもよい。
【００８７】
次いで上記構成を有する移動局装置３００の動作について図８を参照して説明する。
【００８８】
ステップＳＴ１００３において、コードグループ系列相関部３１０は、隣接シンボル相関部２３０にて算出された相関系列およびコードグループ系列レプリカ生成部２３５からのコードグループ系列を入力し、相関系列とすべてのコードグループ系列との相関演算を行う。
【００８９】
ステップＳＴ２００１において、コードグループ系列相関部３１０は、上記相関演算により得られた相関値をコードグループ系列セットに対応する組み合わせによりシンボル毎に加算する。
【００９０】
ステップＳＴ２００２において、コードグループ系列相関部３１０は、加算により得られた加算相関値をｎ／２フレームにわたりシンボルごとに平均化する。そして、コードグループ系列相関部３１０は、平均化された加算相関値をすべてフレームタイミング／コードグループ検出部３２０に出力する。
【００９１】
ステップＳＴ２００３において、フレームタイミング／コードグループ検出部３２０は、コードグループ系列相関部３１０から平均化された加算相関値を入力し、この中で最大の値をとる最大加算相関値を検出する。
【００９２】
ステップＳＴ２００４において、フレームタイミング／コードグループ検出部３２０は、最大加算相関値が得られるシンボルタイミングおよびその最大加算相関値を求める際に掛け合わせたコードグループ系列セットを同定する。
【００９３】
そして、フレームタイミング／コードグループ検出部３２０は、同定したコードグループ系列セットを識別する情報をスクランブリングコード同定部２５０に出力する。
【００９４】
このように実施の形態２によれば、移動局装置３００に、基地局スクランブリングコードと対応する（コードグループ）系列セットに含まれる複数の（コードグループ）系列を掛け合わせたパイロットシンボルが先頭および末尾の少なくともいずれか一方に配置されたフレームを受信する無線受信部２１０と、前記基地局スクランブリングコードと前記（コードグループ）系列セットとが対応づけられた対応テーブル（図２参照）と、前記フレームにおいて時間的に隣接するシンボル間の相関系列に対して前記（コードグループ）系列の全候補を順次掛け合わせて相関値を算出する隣接シンボル相関部２３０およびコードグループ系列相関部３１０と、前記相関値に基づいて、フレームタイミングおよび前記パイロットシンボルに掛け合わされた（コードグループ）系列を検出するフレームタイミング／コードグループ検出部３２０と、前記検出された（コードグループ）系列を含む前記（コードグループ）系列セットに対応するスクランブリングコードの候補を前記対応テーブルから限定し、前記スクランブリングコード候補の中から前記基地局スクランブリングコードを検出するスクランブリングコード同定部２５０と、を設けた。
【００９５】
こうすることにより、１シンボル内で相関値の加算処理を行うことで受信シンボルのＳＮ比を大きくすることができるため、複数フレームにわたり平均化処理を行う場合に平均化フレーム数を半分程度に減らしても信頼性の高い値を求めることができ、より高速なセルサーチを実現することができる。
【００９６】
（実施の形態３）
実施の形態１においては、基地局装置１００にてフレーム末尾のＯＦＤＭシンボルにおけるすべてのサブキャリアについてコードグループ系列セットを構成するすべてのコードグループ系列を掛け合わせた。これに対して、実施の形態３においては基地局装置にてフレーム末尾のＯＦＤＭシンボルにおけるサブキャリアを複数のサブキャリアブロックに分割しこのサブキャリアブロックごとにコードグループ系列セットに対応する複数のコードグループ系列を構成するコードグループ系列をそれぞれ掛け合わせるようにする。
【００９７】
図９に示すように、実施の形態３の基地局装置４００は、コードグループ系列乗算部４１０と、フレーム構成部４２０とを有する。
【００９８】
コードグループ系列乗算部４１０は、コードグループ系列生成部１２０からのコードグループ系列セットを入力する。そして、コードグループ系列乗算部４１０は、パイロット信号生成部１１５からのパイロット信号に対してコードグループ系列セットを構成するコードグループ系列の各々を乗算し、その結果各コードグループ系列が乗算されたパイロット信号が生成される。そして、コードグループ系列乗算部４１０は、パイロット信号そのものと、パイロット信号に各コードグループ系列を乗算した系列との複数の系列をフレーム構成部４２０に出力する。
【００９９】
フレーム構成部４２０は、変調部１１０より変調後の信号が入力され、コードグループ系列乗算部４１０よりパイロット信号およびコードグループ系列が乗算されたパイロット信号が入力される。そして、フレーム構成部４２０は、先頭にパイロット信号、末尾にはコードグループ系列が乗算されたパイロット信号が配置され、残りには変調後の信号（データ）が配置される構成を持つフレームを形成する（図１０参照）。さらにこのフレーム構成部４２０にて形成されたフレームは、その末尾のパイロット信号が配置されているＯＦＤＭシンボルにおけるサブキャリアをサブキャリアブロックに分割され、サブキャリアブロックごとにコードグループ系列セットを構成するコードグループ系列をそれぞれ掛け合わせた形となっている。具体的には、図１０では２つのサブキャリアブロックである低周波数側のサブキャリアブロック１および高周波数側のサブキャリアブロック２に分割されており、例えば、スクランブリングコード番号Ｃ２に対応するコードグループ系列セットを構成するコードグループ系列であるＣＧ１がサブキャリアブロック１に掛け合わされ、ＣＧ２がサブキャリアブロック２に掛け合わされた状態となっている。
【０１００】
なお、図１０においては説明を簡単にするために、コードグループ系列セットが含んでいるコードグループ系列の数に対応させて２つのサブキャリアブロックに分けた。しかしながら、これに限定されるものではなく２つのサブキャリアグループに分けてもよい。すなわち、各コードグループ系列が掛け合わされるサブキャリアは、周波数方向に連続的であるサブキャリアブロックである必要はなく、飛び飛びであってもよい。本明細書においては、サブキャリアブロックはサブキャリアグループの一形態であるとする。また、コードグループ系列セットがｎ個のコードグループ系列に対応する場合、図１０における分割サブキャリアグループ数をｎ個にすればよい。
【０１０１】
そして、フレーム構成部４２０は、サブキャリア数ＮのシンボルであるＯＦＤＭシンボルを単位として、ＯＦＤＭシンボルを出力する。
【０１０２】
図１１に示すように実施の形態３の移動局装置５００は、隣接シンボル相関部５１０と、コードグループ系列相関部５２０と、フレームタイミング／コードグループ検出部５３０とを有する。
【０１０３】
隣接シンボル相関部５１０は、ＦＦＴ処理部２２５からＦＦＴ処理後の信号を入力し、時間的に連続する２つのＯＦＤＭシンボル間で相関をとった相関系列を算出する。この相関系列の算出は、後に平均化を行うためにｎフレームにわたり行われる。そして、算出した相関系列は、コードグループ系列相関部５２０に出力される。
【０１０４】
コードグループ系列相関部５２０は、隣接シンボル相関部５１０にて算出された相関系列およびコードグループ系列レプリカ生成部２３５からのコードグループ系列を入力し、相関系列とすべてのコードグループ系列との相関演算を行う。ただし、ここでは実施の形態１と異なり、サブキャリアブロックごとに相関演算を行う。つまり、実施の形態３におけるコードグループ系列長は実施の形態１の半分になる。
【０１０５】
この相関演算はｎフレームについて行われ、コードグループ系列相関部５２０は、フレームにおける時間的位置が同じＯＦＤＭシンボルから算出された相関系列とコードグループ系列とから求められるｎ個の相関値について平均をとる。そして、コードグループ系列相関部５２０は、サブキャリアブロックごとに平均化された相関値をすべてフレームタイミング／コードグループ検出部５３０に出力する。
【０１０６】
フレームタイミング／コードグループ検出部５３０は、コードグループ系列相関部５２０からサブキャリアブロックごとに平均化された相関値を入力し、サブキャリアブロックごとに最大の値をとる最大相関値を検出する。そして、フレームタイミング／コードグループ検出部５３０は、最大相関値が得られる（仮想フレームにおける）シンボルタイミングおよびその最大相関値を求める際に掛け合わせたコードグループ系列を記憶する。
【０１０７】
また、フレームタイミング／コードグループ検出部５３０は、サブキャリアブロックごとに検出した最大相関値が得られる（フレームにおける）タイミングが一致するか否かを判定する。
【０１０８】
判定の結果、サブキャリアブロックごとに検出した最大相関値が得られるフレームにおけるタイミングが一致しない場合には、フレームタイミング／コードグループ検出部５３０は、初期セルサーチ第２段階のフレームタイミング検出に失敗したと判定し、第２段階に失敗したことを示す第２段階失敗信号を受信制御部２０５に出力する。
【０１０９】
一方、判定の結果、サブキャリアブロックごとに検出した最大相関値が得られる（フレームにおける）タイミングが一致する場合には、フレームタイミング／コードグループ検出部５３０は、第２段階のフレームタイミングの検出が成功したと判定し、検出したフレームタイミングを受信制御部２０５に出力するとともに、検出したコードグループ系列を識別するコードグループ系列識別情報をスクランブリングコード同定部２５０に出力する。
【０１１０】
次いで上記構成を有する移動局装置５００の動作について図１２を参照して説明する。
【０１１１】
ステップＳＴ３００１において、コードグループ系列相関部５２０は、隣接シンボル相関部５１０にて算出された相関系列およびコードグループ系列レプリカ生成部２３５からのコードグループ系列を入力し、相関系列とすべてのコードグループ系列との相関演算を行う。ただし、ここではサブキャリアブロックごとに相関演算を行う。
【０１１２】
ステップＳＴ３００２において、コードグループ系列相関部５２０は、フレームにおける時間的位置が同じＯＦＤＭシンボルから算出された相関系列とコードグループ系列とから求められるｎ個の相関値について同一サブキャリアブロックごとに平均をとる。
【０１１３】
ステップＳＴ３００３において、フレームタイミング／コードグループ検出部５３０は、コードグループ系列相関部５２０からサブキャリアブロックごとに平均化された相関値を入力し、サブキャリアブロックごとに最大相関値を検出する。
【０１１４】
ステップＳＴ３００４において、フレームタイミング／コードグループ検出部５３０は、サブキャリアブロックごとに検出した最大相関値が得られるタイミングが一致するか否かを判定する。
【０１１５】
判定の結果、サブキャリアブロックごとに検出した最大相関値が得られるタイミングが一致しない場合（ステップＳＴ３００４：ＮＯ）には、フレームタイミング／コードグループ検出部５３０は、初期セルサーチ第２段階のフレームタイミング検出が失敗したと判定し、第２段階に失敗したことを示す第２段階失敗信号を受信制御部２０５に出力することにより、ステップＳＴ１００１に戻る。
【０１１６】
一方、判定の結果、サブキャリアブロックごとに検出した最大相関値が得られるタイミングが一致する場合（ステップＳＴ３００４：ＹＥＳ）には、フレームタイミング／コードグループ検出部５３０は、第２段階のフレームタイミングの検出が成功したと判定し、このときフレームタイミングおよびコードグループ系列が同定できたこととなる（ステップＳＴ１０１１）。そして、フレームタイミング／コードグループ検出部５３０は、検出したフレームタイミングを受信制御部２０５に出力するとともに、検出したコードグループ系列を識別するコードグループ系列識別情報をスクランブリングコード同定部２５０に出力する。
【０１１７】
なお、上記説明においてはスクランブリングコードとコードグループ系列セットを構成するコードグループ系列との間には直交性があることを前提に説明をおこなった。しかしながら、本実施の形態においてはサブキャリアブロックごとに掛け合わされるコードグループ系列が異なるため、コードグループ系列間において必ずしも直交性を有している必要はない。
【０１１８】
このように実施の形態３によれば、基地局装置４００に、複数のサブキャリアが複数のグループに分割され、各グループに対して自装置に割り当てられている基地局スクランブリングコードと対応する（コードグループ）系列セットに含まれる（コードグループ）系列を１つずつ掛け合わされたパイロットシンボルが先頭および末尾の少なくともいずれか一方に配置されたフレームを形成するフレーム構成部４２０と、形成された前記フレームを送信する無線送信部１５５とを設けた。
【０１１９】
上記フレームを受信する移動局においてそのフレームに含まれるパイロットシンボルの位置からフレームタイミングを検出することができ、さらに基地局スクランブリングコードと複数の（コードグループ）系列を含む（コードグループ）系列セットとが対応づけられていることからパイロットシンボルの各サブキャリアブロックに掛け合わされている（コードグループ）系列を検出することにより、多くとも（コードグループ）系列セットに含まれる（コードグループ）系列の組み合わせの数にスクランブリングコードの候補が絞られるため、セルサーチ処理を軽減することができ、この拡散符号セット候補に対応する基地局スクランブリングコードを高速に特定することができる。
【０１２０】
また実施の形態３によれば、移動局装置５００に、複数のサブキャリアが複数のグループに分割され、各サブキャリアグループに対して基地局スクランブリングコードと対応する（コードグループ）系列セットに含まれる（コードグループ）系列を１つずつ掛け合わされたパイロットシンボルが先頭および末尾の少なくともいずれか一方に配置されたフレームを受信する無線受信部２１０と、前記基地局スクランブリングコードと前記（コードグループ）系列セットとが対応づけられた対応テーブル（図２参照）と、前記（コードグループ）系列の全候補を前記サブキャリアグループごとに順次掛け合わせて相関系列を算出する相関手段としてのコードグループ系列相関部５２０（隣接シンボル相関部５１０）と、前記相関手段にて得られる相関値に基づいて、フレームタイミングおよび前記パイロットシンボルに掛け合わされた（コードグループ）系列を前記サブキャリアグループごとに検出するフレームタイミング／コードグループ検出部５３０と、前記検出された（コードグループ）系列の組み合わせに対応するスクランブリングコードの候補を前記対応テーブルから特定し、前記スクランブリングコード候補の中から前記基地局スクランブリングコードを検出するスクランブリングコード同定部２５０と、を設けた。
【０１２１】
こうすることにより、受信フレームに含まれるパイロットシンボルの位置からフレームタイミングを検出することができ、さらに基地局スクランブリングコードは複数の（コードグループ）系列の組み合わせとして関係づけられていることからパイロットシンボルの各サブキャリアグループに掛け合わされている（コードグループ）系列を検出することにより多くとも（コードグループ）系列セットに含まれる（コードグループ）系列の組み合わせの数の（コードグループ）系列セットに候補が絞られ、この（コードグループ）系列セット候補に対応する基地局スクランブリングコードを高速に特定することができ、初期セルサーチ処理を軽減することができる。
【０１２２】
上記相関手段としての隣接シンボル相関部５１０およびコードグループ系列相関部５２０は、フレームにおいて時間的に隣接するシンボル間の相関値に対して前記（コードグループ）系列の全候補を前記サブキャリアグループごとに掛け合わせて相関をとり、フレームタイミング／コードグループ検出部５３０は、前記相関手段にて得られる相関値より各サブキャリアグループで最大相関値を検出し、当該検出した最大相関値が得られたタイミングおよび当該検出した各サブキャリアグループの最大相関値を求める際に掛け合わせたコードグループ系列を前記フレームタイミングおよび前記パイロットシンボルのサブキャリアグループごとに掛け合わされた（コードグループ）系列として検出する。
【０１２３】
（実施の形態４）
実施の形態３においては、隣接ＯＦＤＭシンボルの相関値に対して各コードグループ系列ごとに相関演算を施して得られた相関値をコードグループ系列およびサブキャリアブロックごとにｎフレームにわたって平均化した後に、サブキャリアブロックごとに最大の相関値を求める際に掛け合わせたコードグループ系列の同定を行った。これに対して、実施の形態４においては、隣接ＯＦＤＭシンボルの相関系列に対して各コードグループ系列およびサブキャリアブロックごとに相関演算を施して得られた相関値を、各コードグループ系列セットごとに加算し、この加算された相関値をｎ／２フレームにわたって平均化した後にその平均化された相関値のうち最大の相関値を得るために掛け合わされたコードグループ系列セットを同定する。こうすることにより、１ＯＦＤＭシンボル内で相関値のＳＮ比を改善しているので、ｎフレームにわたる平均化処理を行う対象が半分になるため、より高速なセルサーチが可能となる。また、加算処理を行うことにより、ＯＦＤＭ受信シンボルのＳＮ比を大きくすることができるため、平均化処理を行うフレーム数を半分程度に減らしても、実施の形態３と同程度の信頼性の高い値を求めることができ、より高速なセルサーチを実現することができる。
【０１２４】
図１３に示すように実施の形態４の移動局装置６００は、コードグループ系列相関部６１０と、フレームタイミング／コードグループ検出部６２０とを有する。
【０１２５】
コードグループ系列相関部６１０は、隣接シンボル相関部５１０にて算出された相関系列およびコードグループ系列レプリカ生成部２３５からのコードグループ系列を入力し、相関系列とすべてのコードグループ系列との相関演算を行う。ただし、ここではサブキャリアブロックごとに、相関系列の算出、および相関系列とすべてのコードグループ系列との相関演算を行う。
【０１２６】
そして、コードグループ系列相関部６１０は、上記相関演算により得られた相関値をコードグループ系列セットに対応する組み合わせにより加算する。そして、加算により得られた加算相関値をｎ／２フレームにわたりコードグループ系列セットごとに平均化する。そして、コードグループ系列相関部６１０は、平均化された加算相関値をすべてフレームタイミング／コードグループ検出部６２０に出力する。
【０１２７】
フレームタイミング／コードグループ検出部６２０は、コードグループ系列相関部６１０から平均化された加算相関値を入力し、最大加算相関値を検出する。そして、フレームタイミング／コードグループ検出部６２０は、最大加算相関値が得られるタイミングおよびその最大加算相関値を求める際に掛け合わせたコードグループ系列セットを同定する。
【０１２８】
そして、フレームタイミング／コードグループ検出部６２０は、同定したコードグループ系列セットを識別する情報をスクランブリングコード同定部２５０に出力する。なお、コードグループ系列セットを識別するための情報としては、例えば、そのコードグループ系列セットを構成するコードグループ系列識別情報でもよいし、またコードグループ系列セットに対応するスクランブリングコード番号であってもよい。
【０１２９】
なお、本実施の形態においては、基本的に複数のコードグループ系列が掛け合わされている加算相関値からコードグループ系列を特定する必要があるため、コードグループ系列間には直交性が保たれている必要がある。
【０１３０】
このように実施の形態４によれば、移動局装置６００に、複数のサブキャリアが複数のグループに分割され、各サブキャリアグループに対して基地局スクランブリングコードと対応する（コードグループ）系列セットに含まれる（コードグループ）系列を１つずつ掛け合わされたパイロットシンボルが先頭および末尾の少なくともいずれか一方に配置されたフレームを受信する無線受信部２１０と、前記基地局スクランブリングコードと前記（コードグループ）系列セットとが対応づけられた対応テーブル（図２参照）と、前記（コードグループ）系列の全候補を前記フレームにおいて時間的に隣接するシンボル間の相関系列に対して前記サブキャリアグループごとに掛け合わせて相関をとり、前記（コードグループ）系列セットに対応する組み合わせにより加算して加算相関値を算出する相関手段としての隣接シンボル相関部５１０およびコードグループ系列相関部６１０と、前記加算相関値より最大加算相関値を特定し、当該特定した最大加算相関値が得られた前記フレームにおけるタイミングおよび当該特定した最大加算相関値を求める際に掛け合わせた（コードグループ）系列を前記フレームタイミングおよび前記パイロットシンボルに掛け合わされた（コードグループ）系列として検出するフレームタイミング／コードグループ検出部６２０と、前記検出された（コードグループ）系列を含む前記（コードグループ）系列セットに対応するスクランブリングコードの候補を前記対応テーブルから限定し、前記スクランブリングコード候補の中から前記基地局スクランブリングコードを検出するスクランブリングコード同定部２５０と、を設けた。
【０１３１】
こうすることにより、相関値の加算処理を行うことで受信シンボルのＳＮ比を大きくすることができるため、複数フレームにわたり平均化処理を行う場合に平均化フレーム数を半分程度に減らしても信頼性の高い値を求めることができ、より高速なセルサーチを実現することができる。
【０１３２】
（実施の形態５）
実施の形態３においては、隣接ＯＦＤＭシンボルの相関系列に対して各コードグループ系列ごとに相関演算を施して得られた相関値をコードグループ系列およびサブキャリアブロックごとにｎフレームにわたって平均化した後に、サブキャリアブロックごとに最大の相関値を求める際に掛け合わせたコードグループ系列の同定を行った。これに対して実施の形態５においては、さらにサブキャリアブロックとコードグループ系列とを対応づけることにより、サブキャリアブロックごとのコードグループ系列を特定できた時点でスクランブリングコードも特定できるようにする。すなわち、セルサーチの第３段階を省略することができる。
【０１３３】
図１４に示すように実施の形態５の移動局装置７００は、フレームタイミング／コードグループ検出部７１０と、スクランブリングコード同定部７２０とを有する。
【０１３４】
フレームタイミング／コードグループ検出部７１０は、コードグループ系列相関部５２０からサブキャリアブロックごとに平均化された相関値を入力し、サブキャリアブロックごとに最大の値をとる最大相関値を検出する。そして、フレームタイミング／コードグループ検出部７１０は、最大相関値が得られるフレームにおけるタイミングおよびその最大相関値を求める際に掛け合わせたコードグループ系列を記憶する。
【０１３５】
また、フレームタイミング／コードグループ検出部７１０は、サブキャリアブロックごとに検出した最大相関値が得られるフレームにおけるタイミングが一致するか否かを判定する。
【０１３６】
判定の結果、サブキャリアブロックごとに検出した最大相関値が得られるフレームにおけるタイミングが一致しない場合には、フレームタイミング／コードグループ検出部７１０は、初期セルサーチ第２段階のフレームタイミング同定に失敗したと判定し、第２段階に失敗したことを示す第２段階失敗信号を受信制御部２０５に出力する。
【０１３７】
一方、判定の結果、サブキャリアブロックごとに検出した最大相関値が得られるフレームにおけるタイミングが一致する場合には、フレームタイミング／コードグループ検出部７１０は、第２段階のフレームタイミングの検出が成功したと判定し、検出したフレームタイミングを受信制御部２０５に出力し、さらに、検出したコードグループ系列を識別するコードグループ系列識別情報と、そのコードグループ系列を検出したサブキャリアブロックの識別情報とを対応づけてスクランブリングコード同定部７２０に出力する。
【０１３８】
スクランブリングコード同定部７２０は、フレームタイミング／コードグループ検出部７１０からのコードグループ系列識別情報およびサブキャリアブロック識別情報に対応するスクランブリングコードを図１５に示すテーブルを参照して特定し、特定したスクランブリングコードをスクランブリングコードレプリカ生成部２５５に生成させてデスクランブリング部２６０に出力する。なお、本実施の形態において基地局装置は、図１５のテーブルに従い、基地局自身のスクランブリングコード番号からコードグループ系列セット、つまりサブキャリアブロック毎にそれぞれ規定されるコードグループ系列を乗算する。
【０１３９】
次いで上記構成を有する移動局装置７００の動作について図１６を参照して説明する。
【０１４０】
サブキャリアブロックごとに検出した最大相関値が得られるフレームにおけるタイミングが一致する場合（ステップＳＴ３００４：ＹＥＳ）には、ステップＳＴ４００１において、フレームタイミング／コードグループ検出部７１０は、第２段階のフレームタイミングの検出が成功したと判定してフレームタイミングを同定するとともに、スクランブリングコード同定部７２０は、フレームタイミング／コードグループ検出部７１０からのコードグループ系列識別情報およびサブキャリアブロック識別情報に対応するスクランブリングコードをテーブルを参照して特定（同定）する。
【０１４１】
なお、上記説明においてはスクランブリングコードとコードグループ系列セットを構成するコードグループ系列との間には直交性があることを前提に説明をおこなった。しかしながら、本実施の形態においてはサブキャリアブロックが既に直交しているため、コードグループ系列間において必ずしも直交性を有している必要はない。
【０１４２】
このように実施の形態５によれば、移動局装置７００に、複数のサブキャリアが複数のグループに分割され、各サブキャリアグループに対して基地局スクランブリングコードと対応する（コードグループ）系列セットに含まれる（コードグループ）系列を１つずつ掛け合わされたパイロットシンボルが先頭および末尾の少なくともいずれか一方に配置されたフレームを受信する無線受信部２１０と、前記基地局スクランブリングコードと前記（コードグループ）系列セットと当該（コードグループ）系列セットに含まれる（コードグループ）系列が掛け合わされた前記サブキャリアグループの識別情報とが対応づけられた対応テーブル（図１５参照）と、すべての（コードグループ）系列を順次前記サブキャリアグループごとに掛け合わせて相関をとる相関手段としてのコードグループ系列相関部５２０と、前記相関手段にて得られる前記サブキャリアグループごとの相関値に基づいて、フレームタイミングおよび前記パイロットシンボルに掛け合わされた（コードグループ）系列を検出し、検出した前記（コードグループ）系列と当該（コードグループ）系列が検出された前記グループの識別情報とに基づいて前記対応テーブルを用いて前記基地局スクランブリングコードを特定するフレームタイミング／コードグループ検出部７１０およびスクランブリングコード同定部７２０と、を設けた。
【０１４３】
こうすることにより、図２に比べてさらにサブキャリアブロックとコードグループ系列とを対応づけるので、サブキャリアブロック毎に乗算されるコードグループ系列を同定できた時点でスクランブリングコードも同定できる。その結果、従来のセルサーチにおける第３段階に対応するステップを省略できるので、初期セルサーチ処理を軽減することができ、さらに高速なセルサーチを実現することができる。
【０１４４】
（実施の形態６）
実施の形態５においては、隣接ＯＦＤＭシンボルの相関値に対して各コードグループ系列ごとに相関演算を施して得られた相関値をコードグループ系列およびサブキャリアブロックごとにｎフレームにわたって平均化した後に、サブキャリアブロックごとに最大の相関値を求める際に掛け合わせたコードグループ系列の同定を行った。これに対して、実施の形態６においては、隣接ＯＦＤＭシンボルの相関系列に対して各コードグループ系列およびサブキャリアブロックごとに相関演算を施して得られた相関値を、サブキャリアブロックとコードグループ系列との対応を考慮して各コードグループ系列セットごとに加算し、この加算された相関値をｎ／２フレームにわたって平均化した後にその平均化された相関値のうち最大の相関値を得るために掛け合わされたコードグループ系列セットを同定する。こうすることにより、１ＯＦＤＭシンボル内で相関値のＳＮ比を改善しているので、ｎフレームにわたる平均化処理を行う対象が半分になるため、より高速なセルサーチが可能となる。また、加算処理を行うことにより、ＯＦＤＭ受信シンボルのＳＮ比を大きくすることができるため、平均化処理を行うフレーム数を半分程度に減らしても、実施の形態５と同程度の信頼性の高い値を求めることができ、より高速なセルサーチを実現することができる。なお、「サブキャリアブロックとコードグループ系列との対応を考慮して各コードグループ系列セットごとに加算する」とは、コードグループ系列セットに含まれるコードグループ系列の組み合わせが同じでもコードグループ系列とサブキャリアブロックとの対応関係が異なれば別のコードグループ系列セットとして扱って加算を行うことを意味する。
【０１４５】
図１７に示すように実施の形態６の移動局装置８００は、コードグループ系列相関部８１０と、フレームタイミング／コードグループ検出部８２０とを有する。
【０１４６】
コードグループ系列相関部８１０は、隣接シンボル相関部５１０にて算出された相関系列およびコードグループ系列レプリカ生成部２３５からのコードグループ系列を入力し、相関系列とすべてのコードグループ系列との相関演算を行う。ただし、ここではサブキャリアブロックごとに、相関系列の算出、および相関系列とすべてのコードグループ系列との相関演算を行う。
【０１４７】
そして、コードグループ系列相関部８１０は、上記相関演算により得られた相関値を、サブキャリアブロックとコードグループ系列との対応を考慮して各コードグループ系列セットごとに加算する。そして、加算により得られた加算相関値をｎ／２フレームにわたりサブキャリアブロックとコードグループ系列との対応を考慮したコードグループ系列セットごとに平均化する。そして、コードグループ系列相関部８１０は、平均化された加算相関値をすべてフレームタイミング／コードグループ検出部８２０に出力する。
【０１４８】
フレームタイミング／コードグループ検出部８２０は、コードグループ系列相関部８１０から平均化された加算相関値を入力し、最大加算相関値を検出する。そして、フレームタイミング／コードグループ検出部８２０は、最大加算相関値が得られるタイミングおよびその最大加算相関値を求める際に掛け合わせたコードグループ系列セット（サブキャリアブロックとコードグループ系列との対応を考慮したもの）を同定する。
【０１４９】
そして、フレームタイミング／コードグループ検出部８２０は、同定したコードグループ系列を識別するコードグループ系列識別情報と、これに対応するサブキャリアブロックの識別情報とを対応づけてスクランブリングコード同定部７２０に出力する。
【０１５０】
なお、本実施の形態においては、基本的に複数のコードグループ系列が掛け合わされている加算相関値からコードグループ系列を特定する必要があるため、コードグループ系列間には直交性が保たれている必要がある。
【０１５１】
このように実施の形態６によれば、移動局装置８００に、複数のサブキャリアが複数のグループに分割され、各サブキャリアグループに対して基地局スクランブリングコードと対応する（コードグループ）系列セットに含まれる（コードグループ）系列を１つずつ掛け合わされたパイロットシンボルが先頭および末尾の少なくともいずれか一方に配置されたフレームを受信する無線受信部２１０と、前記基地局スクランブリングコードと前記（コードグループ）系列セットと当該（コードグループ）系列セットに含まれる（コードグループ）系列が掛け合わされた前記サブキャリアグループの識別情報とが対応づけられた対応テーブル（図１５参照）と、前記（コードグループ）系列の全候補を前記フレームにおいて時間的に隣接するシンボル間の相関系列に対して前記サブキャリアグループごとに掛け合わせて相関をとり、前記サブキャリアグループと前記（コードグループ）系列との対応により特定される前記（コードグループ）系列セットごとに加算して加算相関値を算出する相関手段としての隣接シンボル相関部５１０およびコードグループ系列相関部８１０と、前記加算相関値より最大加算相関値を特定し、当該特定した最大加算相関値が得られた前記フレームにおけるタイミングおよび当該特定した最大加算相関値が得られた前記（コードグループ）系列セットを同定するフレームタイミング／コードグループ検出部８２０と、前記同定された（コードグループ）系列セットに対応する前記基地局スクランブリングコードを前記対応テーブルから同定するスクランブリングコード同定部７２０と、を設けた。
【０１５２】
こうすることにより、相関値の加算処理を行うことで受信シンボルのＳＮ比を大きくすることができるため、複数フレームにわたり平均化処理を行う場合に平均化フレーム数を半分程度に減らしても信頼性の高い値を求めることができ、より高速なセルサーチを実現することができる。
【０１５３】
（他の実施の形態）
実施の形態１乃至実施の形態４においては、初期セルサーチの第３段階にて基地局スクランブリングコードを同定するときに、グループコード系列が掛け合わされておらず且つ基地局スクランブリングコードのみが掛け合わされているパイロットシンボルを用いているものとして説明を行った。しかしながら、本発明はこれに限定されるものではなく、グループコード系列が掛け合わされているパイロットシンボル（各実施の形態においてはフレームの先頭に配置されているパイロットシンボル）を利用することができる。
【０１５４】
具体例として実施の形態１に適用した場合について図１を参照しつつ説明する。
【０１５５】
この場合には、ＦＦＴ処理部２２５は、現在の移動局装置２００の状態がセルサーチの第３段階である場合には、スクランブリングコード同定部２５０が出力先である旨の出力先命令信号が入力され、ＦＦＴ処理後のパイロット信号が含まれるＯＦＤＭシンボルであってフレームの末尾に配置されているパイロット信号が含まれるＯＦＤＭシンボルをスクランブリングコード同定部２５０に出力する。
【０１５６】
スクランブリングコード同定部２５０は、第２段階で同定したコードグループ系列の複素共役を乗算し、スクランブリングコードのみ掛かったパイロット信号を抽出する。
【産業上の利用可能性】
【０１５７】
本発明は、セルサーチ処理を軽減することができるものとして有用である。
【符号の説明】
【０１５８】
１００、４００  基地局装置
１０５、２７５  符号化部
１１０、２８０  変調部
１１５  パイロット信号生成部
１２０  コードグループ系列生成部
１２５、４１０  コードグループ系列乗算部
１３０、４２０  フレーム構成部
１３５  スクランブリングコード生成部
１４０  スクランブル部
１４５  ＩＦＦＴ部
１５０、２８５  ＧＩ挿入部
１５５、２９０  無線送信部
１６０、２１０  無線受信部
１６５、２２０  ＧＩ除去部
１７０、２２５  ＦＦＴ部
１７５  復調部
１８０、２６５  復号部
２００、３００、５００、６００、７００  移動局装置
２０５  受信制御部
２１５  シンボルタイミング検出部
２３０、５１０  隣接シンボル相関部
２３５  コードグループ系列レプリカ生成部
２４０、３１０、５２０、６１０、８１０  コードグループ系列相関部
２４５、３２０、５３０、６２０、７１０、８２０  フレームタイミング／コードグループ検出部
２５０、７２０  スクランブリングコード同定部
２５５  スクランブリングコードレプリカ生成部
２６０  デスクランブリング部
２７０  ＣＲＣチェック部
【図１】
2010011517.tif 000003
【図２】
2010011517.tif 000004
【図３】
2010011517.tif 000005
【図４】
2010011517.tif 000006
【図５】
2010011517.tif 000007
【図６】
2010011517.tif 000008
【図７】
2010011517.tif 000009
【図８】
2010011517.tif 000010
【図９】
2010011517.tif 000011
【図１０】
2010011517.tif 000012
【図１１】
2010011517.tif 000013
【図１２】
2010011517.tif 000014
【図１３】
2010011517.tif 000015
【図１４】
2010011517.tif 000016
【図１５】
2010011517.tif 000017
【図１６】
2010011517.tif 000018
【図１７】
2010011517.tif 000019
【図１８】
2010011517.tif 000020
【図１９】
2010011517.tif 000021